(57)【特許請求の範囲】
【請求項１】
少なくとも２方向からカードを挿入するコネクタにおいて、前記コネクタは、前記カードと接続する接触部と、前記接触部を一端として他端までＵ字形状をなして延在するばね部とを備えたコンタクトと、一面に前記コンタクトの前記接触部が突出するように当該コンタクトの前記ばね部の前記他端側を保持するインシュレータとを備えるとともに、前記コンタクトが並設されたピッチ方向である第１のカード挿入方向と、前記第１のカード挿入方向と直交する第２のカード挿入方向とから、カードが挿入されるものであり、前記コンタクトの接触部は，前記コンタクトの幅方向に延在するとともに前記第１のカード挿入方向側に前記カードの挿入を案内する第１の誘い部と、前記第２のカード挿入方向側にカードの挿入を案内する第２の誘い部と、前記ばね部とにより略Ｔ字形状に形成されるとともに、前記ばね部の延設方向に直交する方向に沿って延びるように前記第１の誘い部が設けられ、前記第１の誘い部の先端は下方に折れ曲がり、前記第２の誘い部は先端が折り曲がり内方に向かって延び、前記第１及び第２の誘い部の夫々は、夫々少なくとも一部が前記インシュレータの一面から引っ込むように構成され、前記第１のカード挿入方向において、挿入側とは反対側にカードの挿入方向を示す極性キーを前記インシュレータに切り欠いて設けたことを特徴とするコネクタ。
【請求項２】
少なくとも２方向からカードを挿入するコネクタにおいて、前記カードと接続する接触部と、前記接触部を一端として他端までＵ字形状をなして延在するばね部とを備えたコンタクトと、前記コネクタは、一面に前記コンタクトの接触部が突出するように当該コンタクトを保持するインシュレータとを備えるとともに、前記コンタクトが並設されたピッチ方向である第１のカード挿入方向と、前記第１のカード挿入方向と直交する第２のカード挿入方向とから、カードが挿入されるものであり、前記第１のカード挿入方向は両方向であり、前記第２のカード挿入方向は、ばね部の変位方向であり、前記コンタクトの接触部は，前記第１のカード挿入方向の両方向側に前記カードの挿入を案内する第１の誘い部と、第２の誘い部と、前記ばね部とによって略Ｔ字形状に形成され、前記第１及び第２の誘い部の夫々は、先端部が下方に折れ曲がって形成され、夫々少なくとも一部が前記インシュレータの一面から引っ込むように構成されていることを特徴とするコネクタ。
【発明の詳細な説明】
【０００１】
【発明の属する技術分野】
本発明は、携帯電話機等に用いられるＳＩＭカード用コネクタに関し、少なくとも２方向以上からカードの挿入ができる多方向挿入タイプコネクタに関する。
【０００２】
【従来の技術】
従来、図７に示すようなコネクタが提案されている（特開２０００−３６３４９参照、以下、従来技術１と呼ぶ）。
【０００３】
図７はコネクタの接触子支持体の斜視図、図８は第一接触子の斜視図，及び図９は第二接触子の斜視図である。
【０００４】
図７に示した接触子支持体１１０は、プラスチック製の絶縁体１１２でできており、この中に、６つの接触子１１６を持つ第一グループ１１４と、２つの接触子１２０を持つ第二グループ１１８とが配置されている。
【０００５】
絶縁体１１２には、第一接触子グループ１１４を備えた、直方体の形の第一部分１１２ｑと、これに続く接続部１１２ｖと、部分１１２ｑとは位置的にずれた形で配置された直方体の形の第二部分１１２ｚとがあり、部分１１２ｚの下側は、部分１１２ｑの下側と一直線にならんでおり、部分１１２ｑの表面１１２ｚｏはしかし、部分１１２ｑの表面１１２ｑ′ｏの上に突き出しており、これによりエッジ１２２が形成され、このエッジはたとえば、Ｐ方向に差し込まれたチップカード（図示せず）のためのストッパーエッジとしてはたらき、カードの最終位置を決定する。
【０００６】
このエッジは、図７の番号１２２′に破線で示したように、表面１１６ｑｏの部分に形成することもできる。この時、接触子グループ１１８の接触子１２０は、ロック状態またはチップカードの読み取り準備完了状態を示すために利用でき、その場合、接触子１２０を作動させるのは、チップカードの挿入に平行して接触子１２０の上に下降してくるスライダ（図示せず）である。
【０００７】
その際の接触子１２０の構成と接触方法は、以下に説明する接触子１１６の構成と同様である。
【０００８】
各接触子１１６は、図８に示すように、波形（ｍｅａｎｄｅｒ）形状をしており、少なくとも中央の部分はばねのような形をした板金でできている。
【０００９】
各接触子１１６の上部自由端には、横板１１６．１があり、ここに、スプーン型をして２方向に湾曲した接触部１１６．２が続いており、その先には、（２４と２６において）２回折れ曲がったバネ状の部分１１６．３が続いており、これは、ほぼ接触部１１６．２の下側で部分１１６．４として幅が広くなっており、それからおよそ９０度曲がって部分１１６．５にさらに続き、さらにもう一度およそ９０度曲がって部分１１６．６に続き、この終端部分は横板１１６．７で区切られており、これは自由な端に向かってくさび状に細くなっている。
【００１０】
絶縁体１１２は、接触子１１６の形状に対応して形成されている。絶縁体１１２には、接触子１１６の部分１１６．１から１１６．４を受け入れるために、表面１１２ｑｏおよび側面に向かって開いているへこみ１２８が６つと、その下に、部分１１６．６と１１６．７を受け入れるために１１２ｑｕの下側に平行に走るスリットが６つあるが、それぞれの接触子１１６の取りつけの際には、この部分においてくさび型の横板１１６．７にある一定の初期応力をかけて、接触子１１６の部分１１６．６をほぼ同一平面上に配列する。
【００１１】
接触子１１６の側面取りつけの際には、部分１１６．１から１１６．４がへこみ１２８に導かれるが、その際、以下のような位置決めまたはブロックのしくみがはたらく。
【００１２】
接触子１１６の上記部分１１６．４には、下に向かってバネ状に突き出した舌片部１１６．４ｚがあり、舌片部１１６．４ｚの自由端がへこみ１２８内の対応する凹部を通過するとき、舌片部１１６．４ｚはこの凹部にパチンとはまる。
【００１３】
部分１１６．３は、へこみ１２８の部分において、対応する切込み溝に導かれ、これと、舌片部１１６．４ｚとにより、矢印の方向ｘにも、矢印の方向ｙのいずれの方向にも動けないようになる。
【００１４】
横板１１６．１は、接触子１１６を取りつける際にへこみ１２８の部分の横の突起部１３２に突き当たるが、これにより、対応する初期応力が発生し、また接触子１１６の自由端の矢印方向ｘにおける位置決めが行なえるだけでなく、同時に、へこみ１２８の部分における側面のガイド壁１３４により、接触子１１６の矢印方向ｙにおける位置決めも行なえる。
【００１５】
このような実施の形態においては、チップカードをｘおよびｙ方向に導くことができるが、その際、接触子および、特に接触部１１６．２が横方向にずれて、確実な接触が困難になったり、ましてやそれが阻害されたりするような危険はない。
【００１６】
これにより、チップカードを、図７の矢印Ｐで示すような、通常のＪチップカード挿入方向からたとえば９０度ずらすことも可能である。
【００１７】
接触子１１６の可動方向は、ｚ方向（図２）に限定されており、対応するｚ軸は接触部１１６．２の頂点Ｓを通るため、接触子支持体１１０の表面１１２ｑｏに対して垂直になる。
【００１８】
図９の実施の形態では、接触子１１６は、隣接する接触部１１６．２と１１６．４の反対側に、幅の広くなった部分１１６．３があるが、幅の広がりは、折れ曲がっている中間部分１１６．３ｕに向かって大きくなっており、中間部分１１６．３ｕの部分では一定である。
【００１９】
図１０及び図１１は従来技術によるプレス工程時におけるブランク形状を夫々示す平面図である。図１０に示すように、隣接するコンタクト１５０ａのピッチは約２．５位であり、接触部となる部位は、Ｌ字形状に打ち抜かれている。また、図１１に示すように、隣接するコンタクト１５０ｂは同様なピッチで、接触部は全面球形状に形成されている。
【００２０】
【発明が解決しようとする課題】
しかしながら、従来技術１によるコンタクトは、接触部の形状を十字又はスプーン形状とすることで，挿入方向１及び２からカードを挿入するための誘いを設けていたが、コンタクトをプレス工程にて製作する際に、ＳＩＭカード接触部間ピッチと等しいピッチにて製作した場合、隣接するものの抜きのクリアランスｌ１又はｌ２が小さくなり、カード挿入方向１に対する誘い部の誘い量の大きさが制限されてしまうという欠点を有していた。
【００２１】
そこで、本発明の一技術的課題は、誘い量の大きさが変わらずとも、プレス工程における抜きのクリアランスを大きくできるコンタクトを備えた多方向挿入型コネクタを提供することにある。
【００２２】
また、本発明のもう一つ技術的課題は、コンタクトの接触部の長さを短くすることによって、長さ方向の寸法を小さくすることができるとともに、接触性を高めることができ、品質の向上した多方向挿入型コネクタを提供することにある。
【００２３】
【課題を解決するための手段】
本発明によれば、少なくとも２方向からカードを挿入するコネクタにおいて、前記コネクタは、前記カードと接続する接触部と、前記接触部を一端として他端までＵ字形状をなして延在するばね部とを備えたコンタクトと、一面に前記コンタクトの前記接触部が突出するように当該コンタクトの前記ばね部の前記他端側を保持するインシュレータとを備えるとともに、前記コンタクトが並設されたピッチ方向である第１のカード挿入方向と、前記第１のカード挿入方向と直交する第２のカード挿入方向とから、カードが挿入されるものであり、前記コンタクトの接触部は，前記コンタクトの幅方向に延在するとともに前記第１のカード挿入方向側に前記カードの挿入を案内する第１の誘い部と、前記第２のカード挿入方向側にカードの挿入を案内する第２の誘い部と、前記ばね部とにより略Ｔ字形状に形成されるとともに、前記ばね部の延設方向に直交する方向に沿って延びるように前記第１の誘い部が設けられ、前記第１の誘い部の先端は下方に折れ曲がり、前記第２の誘い部は先端が折り曲がり内方に向かって延び、前記第１及び第２の誘い部の夫々は、夫々少なくとも一部が前記インシュレータの一面から引っ込むように構成され、前記第１のカード挿入方向において、挿入側とは反対側にカードの挿入方向を示す極性キーを前記インシュレータに切り欠いて設けたことを特徴とするコネクタが得られる。
【００２４】
また、本発明によれば、少なくとも２方向からカードを挿入するコネクタにおいて、前記カードと接続する接触部と、前記接触部を一端として他端までＵ字形状をなして延在するばね部とを備えたコンタクトと、前記コネクタは、一面に前記コンタクトの接触部が突出するように当該コンタクトを保持するインシュレータとを備えるとともに、前記コンタクトが並設されたピッチ方向である第１のカード挿入方向と、前記第１のカード挿入方向と直交する第２のカード挿入方向とから、カードが挿入されるものであり、前記第１のカード挿入方向は両方向であり、前記第２のカード挿入方向は、ばね部の変位方向であり、前記コンタクトの接触部は，前記第１のカード挿入方向の両方向側に前記カードの挿入を案内する第１の誘い部と、第２の誘い部と、前記ばね部とによって略Ｔ字形状に形成され、前記第１及び第２の誘い部の夫々は、先端部が下方に折れ曲がって形成され、夫々少なくとも一部が前記インシュレータの一面から引っ込むように構成されていることを特徴とするコネクタが得られる。
【００２５】
【発明の実施の形態】
以下、本発明の実施の形態について図面を参照しながら説明する。
【００２６】
図１（ａ）は本発明の実施の形態による携帯電話のシステムの全体像を示す平面図、図１（ｂ）は図１（ａ）の携帯電話に装着されるバッテリーの平面図である。
【００２７】
図１（ａ）を参照すると、携帯電話３０の上部側にＳＩＭカード装着用のコネクタ１０が設けられている。また、バッテリー受け入れ部には、バッテリー４０が装着される。
【００２８】
図２（ａ）は本発明の第１の実施の形態によるコネクタを示す平面図、図２（ｂ）は図２（ａ）のコネクタのＩＩＢ−ＩＩＢ線に沿う一部切り欠き正面図、図２（ｃ）は図２（ａ）のコネクタの側面図である。
【００２９】
図２（ａ）乃至図２（ｂ）を参照すると、コネクタ１０は、四角形状で両側下部に支持部を備え、これによって上方に窪んだスタンドオフ部５を有する台形状の絶縁材料からなるインシュレータ１と、インシュレータ１に保持される、インシュレータ１の上面よりも突出したＴ字形状の接触部１３を備えたコンタクト２とを備えている。コンタクト２は、両側に、長さ方向、即ち、図２（ａ）においては、上下方向に並んで装着されている。インシュレータ１のカード挿入方向とは反対の側には、誤った方向にコネクタを実装することを防止するために、極性を示す切り欠き（極性キー）３を備えている。インシュレータ１は、スタンドオフ部への部品実装を可能とした形状を有している。
【００３０】
コンタクト２は、細長い弾性を備えた金属板を略Ｓ字状に折り曲げて形成されており、図示しないＳＩＭカードを具備する電気接触部と接触するための頂上に丸く山形に突出して設けられた接触部１３を備えている。接触部１３は、丸い頂点から外側斜め下方向に延在するカード誘い部１２を備えている。カード誘い部１２の先端は折れ曲がって内方に延びて丸くなっている。また、接触部１３の頂点からそのコンタクトの幅方向には、もう一つの外側斜め下方向に延在するカード誘い部１１が設けられ、カード誘い部１２とばね部１４とを合わせて、略Ｔ字形状の接触部１３を構成している。
【００３１】
また、コンタクト２は、接触部１３から内側斜め下方に延びてインシュレータ１の上面よりも内部に延び一旦インシュレータ１の上面と平行になるように折れ曲がり内部に延び、Ｕ字型を描くようにＵターンし、インシュレータの上面に沿ってインシュレータの外側まで延在するばね性を備えたばね部１４と、このばね部１４の先端に設けられ、下方に折れ曲がってインシュレータ１５の側面に沿って下方に向かって延在し、インシュレータ１の下端まで延在するとともに、インシュレータ１の装着溝１ａに圧入される保持部１５と、保持部１５の下端で折れ曲がり外方に向かって延在する半田付け部１６とを備えている。
【００３２】
このようなコネクタにおいて、図２（ａ）に示すように、カードは、幅方向（コンタクトのピッチ方向５３の）下側から、白抜きの矢印５１で示される幅方向に（以下、カード挿入方向１と呼ぶ）に挿入される。また、カードは、コネクタの長さ方向（図２（ａ）では、白抜きの矢印５２で示すように、右側から左側に向かう方向（以下、カード挿入方向２と呼ぶ）にも挿入される。
【００３３】
このようなコネクタにおいては、図２（ａ）に示す幅方向及び長さ方向の２方向からの挿入が可能である。
【００３４】
図３は図２のコンタクトの一例を示す平面図、図４は図２のコンタクトのもう一つの例を示す平面図である。
【００３５】
図３を参照すると，各コンタクトの一枚金属板から図示のブランク形状に打ち抜かれるわけであるが、各コンタクトのピッチＰ１を２．５４とすると、カード誘い部１１が片側に突出し、他方は小さく形成されているので、抜き取りの際のクリアランスＬ１を大きくすることができる。
【００３６】
図４を参照すると、同様に各コンタクトの一枚金属板から図示のブランク形状に打ち抜かれるわけであるが、各コンタクトのピッチＰ２を２．５４とすると、カード誘い部１１が片側に突出し、他方に突出部がないＴ字形状を形成しているので、抜き取りの際のクリアランスＬ２を大きくすることができる。
【００３７】
したがって、図３及び図４に示すように、カード誘い部１１の長さを従来技術によるものに比べて２倍以上とすることができる。
【００３８】
図１に戻って、コンタクト２の接触部をＴ字形状にすることでカード挿入方向１の（負）の方向からカードの挿入は不可となるが、インシュレータに極性を示す切り欠きを設け、梱包時に梱包トレー又はエンボスリールのコネクタ受け入れ部へ、凸形状を具備することで、コネクタを物理的に同一方向に整列させることを可能とした。
【００３９】
このことにより、コネクタをプリント基板実装時に誤った方向に整列させることなく、実装することが可能となり、カード挿入方向１の（負）の方向からのカード挿入は不要となる。
【００４０】
このことから本発明では従来技術の特徴を損なうことなく、生産性も損なうことなく、カード挿入方向１に対する誘い部を約２倍大きくすることを可能とすることができる。
【００４１】
また、コンタクトにおいては、誘い部１１の増加により信頼性の高い十分なカード誘い部を形成できるとともに、ＳＩＭカードの挿入の際には、コンタクト接触部は下方に押圧されて、インシュレータの一面４よりも下方にその接触部の殆ど移動して隠れることになる。
【００４２】
図５（ａ）は本発明の第２の実施の形態によるコネクタを示す平面図、図５（ｂ）は図５（ａ）のコネクタの正面図、図５（ｃ）は図５（ａ）のコネクタの側面図、図５（ｄ）は図５（ａ）のコネクタの部分正面断面図である。図６はコンタクトの斜視図である。
【００４３】
図５（ａ）乃至図５（ｄ）を参照すると、コネクタ２０は、四角形状で両側下部に支持部を備え、これによって上方に窪み隅部に斜面を備えたスタンドオフ部５を有する台形状のインシュレータ１と、インシュレータ１の上面よりも突出した接点部を備えたコンタクト２´とを備えている。コンタクト２´は、長さ方向（図５（ａ）では、上下方向）に並んで、複数装着されている。
【００４４】
図６をも参照すると、コンタクト２´は、細長い弾性を備えた金属板を略Ｓ字状に折り曲げて形成されており、円弧状頂上が半分で切除された形の先端部を備えた接触部１３を備えている。接触部１３は、頂上からコンタクトの両側の斜め下方向に延在する左右対称形状のカード誘い部１８，１８を備えている。カード誘い部１８，１８は先端が折れ曲がって下方に向く形状を備え、カード誘い部１８，１８とばね部１４とにより、略Ｔ字状に形成されている。
【００４５】
また、コンタクト２´は、接触部１３から内側斜め下方に延びてインシュレータ１の上面よりも内部に延び一旦インシュレータ１の上面と平行になるように折れ曲がり内部に延び、Ｕ字型を描くようにＵターンし、インシュレータの上面に沿ってインシュレータの外側まで延在するばね部１４と、このばね部１４の先端に設けられ、下方に折れ曲がってインシュレータ１の側面に沿って下方に向かって延在し、インシュレータ１の下端まで延在するとともに、インシュレータ１の装着溝１ａに圧入固定される保持部１５と、保持部１５の下端で折れ曲がり外方に向かって延在する図示しないプリント基板に半田付するためのプリント半田付け部１６とを備えている。保持部１５の両側には、インシュレータ１の挿入溝と係合する係合部１７を備えている。
【００４６】
このようなコネクタ２０において、図５（ａ）に示すように、カードは、幅方向（コンタクトのピッチ方向５３の）上下側から、白抜きの矢印５５，５６で示される幅方向に（以下、カード挿入方向１と呼ぶ）に挿入される。また、カードは、コネクタの高さ方向（図５（ｃ）では、白抜きの矢印５４で示すように、上側から下側に向かう方向（以下、カード挿入方向２と呼ぶ））にも挿入される。
【００４７】
このようなコネクタにおいては、図５（ａ）に示す幅方向及び図５（ｃ）に示す鉛直線方向の２方向からの挿入が可能である。ＳＩＭカードが装着される際には、図５（ｄ）に示すように、カードの接触部に、接触部１３は、下方に押されて、その殆どがインシュレータ上面４よりも下方に移動し、隠れた形状に変形する。
【００４８】
また、本発明の第２の実施の形態によるものは、第１の実施の形態と同様に接触部の高さを従来品よりも高く設定し、より多いコンタクト変位量を確保することで衝撃等により接触部がカード接触部と瞬間的に離れてしまう瞬断現象等に対する信頼性の高いコネクタを提供することができる。
【００４９】
【発明の効果】
以上説明したように、本発明によれば、誘い量の大きさが変わらずとも、プレス工程における抜きのクリアランスを大きくできるコンタクトを備えた多方向挿入型コネクタを提供することができる。
【００５０】
また、本発明によれば、コンタクトの接触部の長さを短くすることによって、長さ方向の寸法を小さくすることができるとともに、接触性を高めることができ、品質の向上した多方向挿入型コネクタを提供することができる。
【図面の簡単な説明】
【図１】（ａ）は本発明の実施の形態による携帯電話のシステムの全体像を示す平面図である。
（ｂ）は図１（ａ）の携帯電話に装着されるバッテリーの平面図である。
【図２】（ａ）は本発明の第１の実施の形態によるコネクタを示す平面図である。
（ｂ）は（ａ）のコネクタのＩＩＢ−ＩＩＢ線に沿う一部切り欠き正面図である。
（ｃ）は（ａ）のコネクタの側面図である。
【図３】図２のコンタクトの一例を示す平面図である。
【図４】図２のコンタクトのもう一つの例を示す平面図である。
【図５】（ａ）は本発明の第２の実施の形態によるコネクタを示す平面図である。
（ｂ）は（ａ）のコネクタの正面図である。
（ｃ）は（ａ）のコネクタの側面図である。
（ｄ）は（ａ）のコネクタの部分正面断面図である。
【図６】図５のコンタクトの斜視図である。
【図７】従来技術１によるコネクタの接触子支持体の全体斜視図である。
【図８】図７の接触子支持体に取り付けられる第一接触子の斜視図である。
【図９】図７の接触子支持体に取り付けられる第二接触子の斜視図である。
【図１０】従来技術によるプレス工程時におけるブランク形状の一例を示す平面図である。
【図１１】従来技術によるプレス工程時におけるブランク形状の他の例を示す平面図である。
【符号の説明】
１    インシュレータ
１ａ    装着溝
２，２´    コンタクト
３    切り欠き（極性バー）
４    上面
５    スタンドオフ部
１０    コネクタ
１１，１８，１２    カード誘い部
１３    接触部
１４    ばね部
１５    保持部
２０    コネクタ
３０    携帯電話
４０    バッテリー
５１，５２，５３，５４，５５    矢印
１１０      接触子支持体
１１２ｑｏ  第一表面
１１２ｑｕ  第二表面
１１２ｚｏ  表面
１１４      第一グループ
１１６      接触子
１１６．１  ガイド部
１１６．２  接触部
１１６．３  ガイド部
１１６．４  ロック手段
１１６．６  第二端
１１６．７  第二端
１２０      接触子
１２２      ストッパーエッジ
【図１】
0003746240.tif 000002
【図２】
0003746240.tif 000003
【図３】
0003746240.tif 000004
【図４】
0003746240.tif 000005
【図５】
0003746240.tif 000006
【図６】
0003746240.tif 000007
【図７】
0003746240.tif 000008
【図８】
0003746240.tif 000009
【図９】
0003746240.tif 000010
【図１０】
0003746240.tif 000011
【図１１】
0003746240.tif 000012